【手続補正書】
【提出日】平成23年10月5日(2011.10.5)
【手続補正１】
【補正対象書類名】特許請求の範囲
【補正対象項目名】全文
【補正方法】変更
【補正の内容】
【特許請求の範囲】
【請求項１】
伝送リソースを複数のリソースグルーピングに区分化する段階、および
該複数のリソースグルーピングの各々を、該複数のリソースグルーピングの各々の階層グループレベルに基づいて、個別にアドレス指定する段階
を備える、伝送リソースをデータ伝送フレームの中で搬送されているデータに割り付ける方法。
【請求項２】
複数のリソースグルーピングの各々を、各々のそれぞれの部分の中で搬送されているデータの量に基づいて、データ伝送フレームの中で搬送されているデータのそれぞれの部分に可変的に割り付ける段階
をさらに備える、請求項1記載の方法。
【請求項３】
区分化する段階が、
伝送リソースの中で一つまたは複数のアドレス指定可能なリソース要素を決定する段階、および
該一つまたは複数のアドレス指定可能なリソース要素の各々をアドレス指定する段階
を備える、請求項1記載の方法。
【請求項４】
区分化する段階が、
より高い階層グループレベルがより多量のリソース要素を含むように、アドレス指定された一つまたは複数のリソース要素を一つまたは複数のリソースグルーピングにグループ分けする段階、および
一つまたは複数のリソースグルーピングの各々をアドレス指定する段階
をさらに備える、請求項3記載の方法。
【請求項５】
グループ分けされた一つまたは複数のアドレス指定されたリソース要素が、それぞれのリソースグルーピングのリソース空間を完全に占有する、請求項4記載の方法。
【請求項６】
グループ分けする段階が、
複数のリソースグルーピングが存在する場合、該複数のリソースグルーピングを一つまたは複数のより大きいリソースグルーピングにグループ分けする段階
を備える、請求項4記載の方法。
【請求項７】
リソースグルーピングのうちの少なくとも二つが異なるサイズである、請求項1記載の方法。
【請求項８】
各階層グループレベルがM-aryツリー構造を使用して決定され、Mが2より大きい整数である、請求項1記載の方法。
【請求項９】
一つまたは複数のアドレス指定可能なリソース要素の各々が2タプルアドレスを割り当てられる、請求項3記載の方法。
【請求項１０】
2タプルアドレスが、グループ分けされたフラグおよび割り付け可能なユニット数を含む、請求項9記載の方法。
【請求項１１】
一つまたは複数のリソースグルーピングの各々が3タプルアドレスを割り当てられる、請求項4記載の方法。
【請求項１２】
3タプルアドレスが、グループ分けされたフラグ、グルーピングレベル、および割り付け可能なユニット数を含む、請求項11記載の方法。
【請求項１３】
それぞれのリソースグルーピングの中でグループ分けされたアドレス指定可能なリソース要素のうちの少なくとも二つが素である、請求項4記載の方法。
【請求項１４】
それぞれのリソースグルーピングが複合アドレスを割り当てられる、請求項13記載の方法。
【請求項１５】
複合アドレスの中の各個別のアドレスが、個別のアドレスが最後であるかどうかを示す1ビットフラグを含む、請求項14記載の方法。
【請求項１６】
グループ分けされた複数のリソースグルーピングのうちの少なくとも二つが素である、請求項6記載の方法。
【請求項１７】
グループ分けされた複数のリソースグルーピングが複合アドレスを割り当てられる、請求項16記載の方法。
【請求項１８】
複合アドレスの中の各個別のアドレスが、個別のアドレスが最後であるかどうかを示す1ビットフラグを含む、請求項17記載の方法。
【請求項１９】
複合アドレスが、該複合アドレスの中の個別のアドレスの個数を示すフィールドを含む、請求項14および17のいずれか一項記載の方法。
【請求項２０】
複合アドレスが、各ビットが各グルーピングレベルからのリソースグルーピングがそれぞれ複合アドレスに含まれるかどうかを示す、各グルーピングレベルのためのビットを含むビットマップを含む、請求項14および17のいずれか一項記載の方法。
【手続補正２】
【補正対象書類名】明細書
【補正対象項目名】００１３
【補正方法】変更
【補正の内容】
【００１３】
本開示のさらなる特徴および利点、ならびに本開示の様々な態様の構造および動作は、添付図面を参照して以下で詳細に説明する。
[請求項1001]
伝送リソースを複数のリソースグルーピングに区分化する段階、および
該複数のリソースグルーピングの各々を、該複数のリソースグルーピングの各々の階層グループレベルに基づいて、個別にアドレス指定する段階
を備える、伝送リソースをデータ伝送フレームの中で搬送されているデータに割り付ける方法。
[請求項1002]
複数のリソースグルーピングの各々を、各々のそれぞれの部分の中で搬送されているデータの量に基づいて、データ伝送フレームの中で搬送されているデータのそれぞれの部分に可変的に割り付ける段階
をさらに備える、請求項1001記載の方法。
[請求項1003]
区分化する段階が、
伝送リソースの中で一つまたは複数のアドレス指定可能なリソース要素を決定する段階、および
該一つまたは複数のアドレス指定可能なリソース要素の各々をアドレス指定する段階
を備える、請求項1001記載の方法。
[請求項1004]
区分化する段階が、
より高い階層グループレベルがより多量のリソース要素を含むように、アドレス指定された一つまたは複数のリソース要素を一つまたは複数のリソースグルーピングにグループ分けする段階、および
一つまたは複数のリソースグルーピングの各々をアドレス指定する段階
をさらに備える、請求項1003記載の方法。
[請求項1005]
グループ分けされた一つまたは複数のアドレス指定されたリソース要素が、それぞれのリソースグルーピングのリソース空間を完全に占有する、請求項1004記載の方法。
[請求項1006]
グループ分けする段階が、
複数のリソースグルーピングが存在する場合、該複数のリソースグルーピングを一つまたは複数のより大きいリソースグルーピングにグループ分けする段階
を備える、請求項1004記載の方法。
[請求項1007]
リソースグルーピングのうちの少なくとも二つが異なるサイズである、請求項1001記載の方法。
[請求項1008]
各階層グループレベルがM-aryツリー構造を使用して決定され、Mが2より大きい整数である、請求項1001記載の方法。
[請求項1009]
一つまたは複数のアドレス指定可能なリソース要素の各々が2タプルアドレスを割り当てられる、請求項1003記載の方法。
[請求項1010]
2タプルアドレスが、グループ分けされたフラグおよび割り付け可能なユニット数を含む、請求項1009記載の方法。
[請求項1011]
一つまたは複数のリソースグルーピングの各々が3タプルアドレスを割り当てられる、請求項1004記載の方法。
[請求項1012]
3タプルアドレスが、グループ分けされたフラグ、グルーピングレベル、および割り付け可能なユニット数を含む、請求項1011記載の方法。
[請求項1013]
それぞれのリソースグルーピングの中でグループ分けされたアドレス指定可能なリソース要素のうちの少なくとも二つが素である、請求項1004記載の方法。
[請求項1014]
それぞれのリソースグルーピングが複合アドレスを割り当てられる、請求項1013記載の方法。
[請求項1015]
複合アドレスの中の各個別のアドレスが、個別のアドレスが最後であるかどうかを示す1ビットフラグを含む、請求項1014記載の方法。
[請求項1016]
複合アドレスが、複合アドレスの中の個別のアドレスの個数を示すフィールドを含む、請求項1014記載の方法。
[請求項1017]
複合アドレスが、各ビットが各グルーピングレベルからのリソースグルーピングがそれぞれ複合アドレスに含まれるかどうかを示す、各グルーピングレベルのためのビットを含むビットマップを含む、請求項1014記載の方法。
[請求項1018]
グループ分けされた複数のリソースグルーピングのうちの少なくとも二つが素である、請求項1006記載の方法。
[請求項1019]
グループ分けされた複数のリソースグルーピングが複合アドレスを割り当てられる、請求項1018記載の方法。
[請求項1020]
複合アドレスの中の各個別のアドレスが、個別のアドレスが最後であるかどうかを示す1ビットフラグを含む、請求項1019記載の方法。
[請求項1021]
複合アドレスが、該複合アドレスの中の個別のアドレスの個数を示すフィールドを含む、請求項1019記載の方法。
[請求項1022]
複合アドレスが、各ビットが各グルーピングレベルからのリソースグルーピングがそれぞれ複合アドレスに含まれるかどうかを示す、各グルーピングレベルのためのビットを含むビットマップを含む、請求項1019記載の方法。
[請求項1023]
伝送リソースを複数のリソースグルーピングに区分化し、
該複数のリソースグルーピングの各々を、該複数のリソースグルーピングの各々の階層グループレベルに基づいて個別にアドレス指定する
ように構成されている処理モジュール
を備える、伝送リソースをデータ伝送フレームの中で搬送されているデータに割り付ける能力があるワイヤレス通信システムにおける局。
[請求項1024]
処理モジュールが、
複数のリソースグルーピングの各々を、各々のそれぞれの部分の中で搬送されているデータの量に基づいてデータ伝送フレームの中で搬送されているデータのそれぞれの部分に可変的に割り付ける
ようにさらに構成されている、請求項1023記載の局。
[請求項1025]
処理モジュールが、
伝送リソースの中で一つまたは複数のアドレス指定可能なリソース要素を決定し、
一つまたは複数のアドレス指定可能なリソース要素の各々をアドレス指定する
ようにさらに構成されている、請求項1023記載の局。
[請求項1026]
処理モジュールが、
より高い階層グループレベルがより多量のリソース要素を含むように、アドレス指定された一つまたは複数のリソース要素を一つまたは複数のリソースグルーピングにグループ分けし、
一つまたは複数のリソースグルーピングの各々をアドレス指定する
ようにさらに構成されている、請求項1025記載の局。
[請求項1027]
グループ分けされた一つまたは複数のアドレス指定されたリソース要素が、それぞれのリソースグルーピングのリソース空間を完全に占有する、請求項1026記載の局。
[請求項1028]
処理モジュールが、
複数のリソースグルーピングが存在する場合に、該複数のリソースグルーピングを一つまたは複数のより大きいリソースグルーピングにグループ分けする
ようにさらに構成されている、請求項1026記載の局。
[請求項1029]
リソースグルーピングのうちの少なくとも二つが異なるサイズである、請求項1023記載の局。
[請求項1030]
各階層グループレベルがM-aryツリー構造を使用して決定され、ここでMは2より大きい整数である、請求項1023記載の局。
[請求項1031]
一つまたは複数のアドレス指定可能なリソース要素の各々が2タプルアドレスを割り当てられる、請求項1025記載の局。
[請求項1032]
2タプルアドレスが、グループ分けされたフラグおよび割り付け可能なユニット数を含む、請求項1031記載の局。
[請求項1033]
一つまたは複数のリソースグルーピングの各々が3タプルアドレスを割り当てられる、請求項1026記載の局。
[請求項1034]
3タプルアドレスが、グループ分けされたフラグ、グルーピングレベル、および割り付け可能なユニット数を含む、請求項1033記載の局。
[請求項1035]
それぞれのリソースグルーピングの中のグループ分けされたアドレス指定可能なリソース要素のうちの少なくとも二つが素である、請求項1026記載の局。
[請求項1036]
それぞれのリソースグルーピングが複合アドレスを割り当てられる、請求項1035記載の局。
[請求項1037]
複合アドレスの中の各個別のアドレスが、該個別のアドレスが最後であるかどうかを示す1ビットフラグを含む、請求項1036記載の局。
[請求項1038]
複合アドレスが、該複合アドレスの中の個別のアドレスの個数を示すフィールドを含む、請求項1036記載の局。
[請求項1039]
複合アドレスが、各ビットが各グルーピングレベルからのリソースグルーピングがそれぞれ複合アドレスに含まれるかどうかを示す、各グルーピングレベルのためのビットを含むビットマップを含む、請求項1036記載の局。
[請求項1040]
グループ分けされた複数のリソースグルーピングのうちの少なくとも二つが素である、請求項1028記載の局。
[請求項1041]
グループ分けされた複数のリソースグルーピングが複合アドレスを割り当てられる、請求項1040記載の局。
[請求項1042]
複合アドレスの中の各個別のアドレスが、該個別のアドレスが最後であるかどうかを示す1ビットフラグを含む、請求項1041記載の局。
[請求項1043]
複合アドレスが、該複合アドレスの中の個別のアドレスの個数を示すフィールドを含む、請求項1041記載の局。
[請求項1044]
複合アドレスが、各ビットが各グルーピングレベルからのリソースグルーピングがそれぞれ複合アドレスに含まれるかどうかを示す、各グルーピングレベルのためのビットを含むビットマップを含む、請求項1041記載の局。
[請求項1045]
基地局である、請求項1023記載の局。
[請求項1046]
移動局である、請求項1023記載の局。
[請求項1047]
伝送リソースを複数のリソースグルーピングに区分化する手段、および
該複数のリソースグルーピングの各々を、該複数のリソースグルーピングの各々の階層グループレベルに基づいて個別にアドレス指定する手段
を備える、伝送リソースをデータ伝送フレームの中で搬送されているデータに割り付けるシステム。
[請求項1048]
複数のリソースグルーピングの各々を、各々のそれぞれの部分の中で搬送されているデータの量に基づいてデータ伝送フレームの中で搬送されているデータのそれぞれの部分に可変的に割り付ける手段
をさらに備える、請求項1047記載のシステム。
[請求項1049]
区分化する手段が、
伝送リソースの中で一つまたは複数のアドレス指定可能なリソース要素を決定する手段、および
一つまたは複数のアドレス指定可能なリソース要素の各々をアドレス指定する手段
を備える、請求項1047記載のシステム。
[請求項1050]
区分化する手段が、
より高い階層グループレベルがより多量のリソース要素を含むように、アドレス指定された一つまたは複数のリソース要素を一つまたは複数のリソースグルーピングにグループ分けする手段、および
前記一つまたは複数のリソースグルーピングの各々をアドレス指定する手段
をさらに備える、請求項1049記載のシステム。
[請求項1051]
グループ分けされた一つまたは複数のアドレス指定されたリソース要素が、それぞれのリソースグルーピングのリソース空間を完全に占有する、請求項1050記載のシステム。
[請求項1052]
グループ分けする手段が、
複数のリソースグルーピングが存在する場合に、該複数のリソースグルーピングを一つまたは複数のより大きいリソースグルーピングにグループ分けする手段
を備える、請求項1050記載のシステム。
[請求項1053]
リソースグルーピングのうちの少なくとも二つが異なるサイズである、請求項1047記載の局。
[請求項1054]
各階層グループレベルがM-aryツリー構造を使用して決定され、Mは2より大きい整数である、請求項1047記載の局。
[請求項1055]
一つまたは複数のアドレス指定可能なリソース要素の各々が2タプルアドレスを割り当てられる、請求項1049記載の局。
[請求項1056]
2タプルアドレスが、グループ分けされたフラグおよび割り付け可能なユニット数を含む、請求項1055記載の局。
[請求項1057]
一つまたは複数のリソースグルーピングの各々が3タプルアドレスを割り当てられる、請求項1050記載の局。
[請求項1058]
3タプルアドレスが、グループ分けされたフラグ、グルーピングレベル、および割り付け可能なユニット数を含む、請求項1057記載の局。
[請求項1059]
それぞれのリソースグルーピングの中のグループ分けされたアドレス指定可能なリソース要素のうちの少なくとも二つが素である、請求項1050記載の局。
[請求項1060]
それぞれのリソースグルーピングが複合アドレスを割り当てられる、請求項1059記載の局。
[請求項1061]
複合アドレスの中の各個別のアドレスが、該個別のアドレスが最後であるかどうかを示す1ビットフラグを含む、請求項1060記載の局。
[請求項1062]
複合アドレスが、該複合アドレスの中の個別のアドレスの個数を示すフィールドを含む、請求項1060記載の局。
[請求項1063]
複合アドレスが、各ビットが各グルーピングレベルからのリソースグルーピングがそれぞれ複合アドレスに包含されるかどうかを示す、各グルーピングレベルのためのビットを含むビットマップを含む、請求項1060記載の局。
[請求項1064]
グループ分けされた複数のリソースグルーピングのうちの少なくとも二つが素である、請求項1052記載の局。
[請求項1065]
グループ分けされた複数のリソースグルーピングが複合アドレスを割り当てられる、請求項1064記載の局。
[請求項1066]
複合アドレスの中の各個別のアドレスが、該個別のアドレスが最後であるかどうかを示す1ビットフラグを含む、請求項1065記載の局。
[請求項1067]
複合アドレスが、該複合アドレスの中の個別のアドレスの個数を示すフィールドを含む、請求項1065記載の局。
[請求項1068]
複合アドレスが、各ビットが各グルーピングレベルからのリソースグルーピングがそれぞれ複合アドレスに包含されるかどうかを示す、各グルーピングレベルのためのビットを含むビットマップを含む、請求項1065記載の局。
[請求項1069]
伝送リソースを複数のリソースグルーピングに区分化する、および
該複数のリソースグルーピングの各々を、該複数のリソースグルーピングの各々の階層グループレベルに基づいて個別にアドレス指定する
ためのコードを備える、伝送リソースをデータ伝送フレームの中で搬送されているデータに割り付ける命令を記憶するコンピュータ読み取り可能な媒体。
[請求項1070]
複数のリソースグルーピングの各々を、各々のそれぞれの部分の中で搬送されているデータの量に基づいてデータ伝送フレームの中で搬送されているデータのそれぞれの部分に可変的に割り付ける
ためのコードをさらに備える、請求項1069記載のコンピュータ読み取り可能な媒体。
[請求項1071]
区分化するコードが、
伝送リソースの中で一つまたは複数のアドレス指定可能なリソース要素を決定する、および
前記一つまたは複数のアドレス指定可能なリソース要素の各々をアドレス指定する
ためのコードを備える、請求項1069記載のコンピュータ読み取り可能な媒体。
[請求項1072]
区分化するコードが、
より高い階層グループレベルがより多量のリソース要素を含むように、アドレス指定された一つまたは複数のリソース要素を一つまたは複数のリソースグルーピングにグループ分けする、および
前記一つまたは複数のリソースグルーピングの各々をアドレス指定する
ためのコードをさらに備える、請求項1071記載のコンピュータ読み取り可能な媒体。
[請求項1073]
グループ分けされた一つまたは複数のアドレス指定されたリソース要素が、それぞれのリソースグルーピングのリソース空間を完全に占有する、請求項1072記載のコンピュータ読み取り可能な媒体。
[請求項1074]
グループ分けするコードが、
複数のリソースグルーピングが存在する場合に、該複数のリソースグルーピングを一つまたは複数のより大きいリソースグルーピングにグループ分けする
ためのコードを備える、請求項1072記載のコンピュータ読み取り可能な媒体。
[請求項1075]
リソースグルーピングのうちの少なくとも二つが異なるサイズである、請求項1069記載のコンピュータ読み取り可能な媒体。
[請求項1076]
各階層グループレベルがM-aryツリー構造を使用して決定され、ここでMが2より大きい整数である、請求項1069記載のコンピュータ読み取り可能な媒体。
[請求項1077]
一つまたは複数のアドレス指定可能なリソース要素の各々が2タプルアドレスを割り当てられる、請求項1071記載のコンピュータ読み取り可能な媒体。
[請求項1078]
2タプルアドレスが、グループ分けされたフラグおよび割り付け可能なユニット数を含む、請求項1077記載のコンピュータ読み取り可能な媒体。
[請求項1079]
一つまたは複数のリソースグルーピングの各々が3タプルアドレスを割り当てられる、請求項1072記載のコンピュータ読み取り可能な媒体。
[請求項1080]
3タプルアドレスが、グループ分けされたフラグ、グルーピングレベル、および割り付け可能なユニット数を含む、請求項1079記載のコンピュータ読み取り可能な媒体。
[請求項1081]
それぞれのリソースグルーピングの中のグループ分けされたアドレス指定可能なリソース要素のうちの少なくとも二つが素である、請求項1072記載のコンピュータ読み取り可能な媒体。
[請求項1082]
それぞれのリソースグルーピングが複合アドレスを割り当てられる、請求項1081記載のコンピュータ読み取り可能な媒体。
[請求項1083]
複合アドレスの中の各個別のアドレスが、該個別のアドレスが最後であるかどうかを示す1ビットフラグを含む、請求項1082記載のコンピュータ読み取り可能な媒体。
[請求項1084]
複合アドレスが、該複合アドレスの中の個別のアドレスの個数を示すフィールドを含む、請求項1082記載のコンピュータ読み取り可能な媒体。
[請求項1085]
複合アドレスが、各ビットが各グルーピングレベルからのリソースグルーピングがそれぞれ複合アドレスに包含されるかどうかを示す、各グルーピングレベルのためのビットを含むビットマップを含む、請求項1082記載のコンピュータ読み取り可能な媒体。
[請求項1086]
グループ分けされた複数のリソースグルーピングのうちの少なくとも二つが素である、請求項1074記載のコンピュータ読み取り可能な媒体。
[請求項1087]
グループ分けされた複数のリソースグルーピングが複合アドレスを割り当てられる、請求項1086記載のコンピュータ読み取り可能な媒体。
[請求項1088]
複合アドレスの中の各個別のアドレスが、該個別のアドレスが最後であるかどうかを示す1ビットフラグを含む、請求項1087記載のコンピュータ読み取り可能な媒体。
[請求項1089]
複合アドレスが、該複合アドレスの中の個別のアドレスの個数を示すフィールドを含む、請求項1087記載のコンピュータ読み取り可能な媒体。
[請求項1090]
複合アドレスが、各ビットが各グルーピングレベルからのリソースグルーピングがそれぞれ複合アドレスに包含されるかどうかを示す、各グルーピングレベルのためのビットを含むビットマップを含む、請求項1087記載のコンピュータ読み取り可能な媒体。